(57)【特許請求の範囲】
【請求項１】
前後方向に前方部と後方部とこれらの間に位置する中間部と、前記前方部から幅方向に延在する右フラップ部と左フラップ部と、前記後方部から幅方向に延在する右ウェスト部と左ウェスト部とを有するおむつカバーであって、
前記右ウェスト部と前記左ウェスト部に各々第１留め具が設けられ、
前記右フラップ部と前記左フラップ部の内面に第２留め具が設けられ、
前記右ウェスト部と前記左ウェスト部の一方の端部が、他方の端部よりも前記前後方向の前方に位置することにより、前記右ウェスト部と前記左ウェスト部が前記前後方向にずれて固定可能であることを特徴とするおむつカバー。
【請求項２】
前記右ウェスト部の幅と前記左ウェスト部の幅は、端部に向かって狭くなっている請求項１に記載のおむつカバー。
【請求項３】
前記右ウェスト部と前記左ウェスト部は伸縮可能である請求項１または２に記載のおむつカバー。
【請求項４】
前記第１留め具は、前記右ウェスト部の内面と前記左ウェスト部の内面とに設けられている請求項１〜３のいずれか一項に記載のおむつカバー。
【請求項５】
前記第１留め具は、前記右ウェスト部と前記左ウェスト部に各々複数設けられている請求項４に記載のおむつカバー。
【請求項６】
前記第２留め具は所定の幅を有する略直線形状であり、
前記第２留め具は、略直線形状が、おむつカバーの前後方向の前方かつ幅方向の内方に向かうように設けられている請求項１〜５のいずれか一項に記載のおむつカバー。
【請求項７】
前記右フラップ部と左フラップ部と中間部は伸縮可能である請求項１〜６のいずれか一項に記載のおむつカバー。
【請求項８】
前記第２留め具は、前記右フラップ部と前記左フラップ部に各々複数設けられている請求項１〜７のいずれか一項に記載のおむつカバー。
【請求項９】
前記右ウェスト部と前記左ウェスト部の一方の端部が、他方の端部よりも前記前後方向の前方に位置し、後方に位置しないことにより、前記右ウェスト部と前記左ウェスト部が前記前後方向にずれて固定可能である請求項１〜８のいずれか一項に記載のおむつカバー。
【請求項１０】
請求項１〜９のいずれか一項に記載のおむつカバーの中間部に吸収性コアが設けられていることを特徴とする使い捨ておむつ。
【発明の詳細な説明】
【技術分野】
【０００１】
本発明は、おむつカバーおよび使い捨ておむつに関するものである。
【背景技術】
【０００２】
従来、おむつカバーとして、前後方向の後方部から幅方向に延在する右ウェスト部と左ウェスト部とを有するものが知られている。このようなおむつカバーは、右ウェスト部と左ウェスト部とを着用者の腰回りに固定して、着用する。例えば、特許文献１には、右ウェスト部と左ウェスト部のいずれか一方に留め具が設けられ、右ウェスト部と左ウェスト部が伸縮可能なおむつカバーが開示されている。
【先行技術文献】
【特許文献】
【０００３】
【特許文献１】特開２００６−４２８６３号公報
【発明の概要】
【発明が解決しようとする課題】
【０００４】
しかし、特許文献１に開示されたおむつカバーは、右ウェスト部を左ウェスト部に重ねたり、左ウェスト部を右ウェスト部に重ねて左右ウェスト部を着用者の腰回りに固定するため、右ウェスト部と左ウェスト部のどちらか一方は、他方のウェスト部の内側に隠れることとなる。従って、おむつカバーを着用する際、着用者は内側に位置するウェスト部を引っ張りにくく、ウェスト部を着用者の腰回りにフィット性良く固定させにくい。
【０００５】
本発明は前記事情に鑑みてなされたものであり、その目的は、着用者の腰回りのフィット性を高めやすくできるおむつカバーおよび使い捨ておむつを提供することにある。
【課題を解決するための手段】
【０００６】
前記課題を解決することができた本発明のおむつカバーとは、前後方向に前方部と後方部とこれらの間に位置する中間部と、後方部から幅方向に延在する右ウェスト部と左ウェスト部とを有し、右ウェスト部と左ウェスト部に各々第１留め具が設けられ、右ウェスト部と左ウェスト部の一方の端部が、他方の端部よりも前後方向の前方に位置することにより、右ウェスト部と左ウェスト部が前後方向にずれて固定可能であるところに特徴を有する。本発明のおむつカバーは、右ウェスト部と左ウェスト部の一方の端部が他方の端部よりも前後方向の前方に位置することにより、右ウェスト部の端部と左ウェスト部の端部を掴みながら、左右ウェスト部を着用者の左右方向に引っ張ることが容易になる。従って、着用者は、おむつカバーを着用時、腰回りのフィット性を高めやすくなる。
【０００７】
右ウェスト部の幅と左ウェスト部の幅は、端部に向かって狭くなっていることが好ましい。このように右ウェスト部と左ウェスト部が形成されていれば、右ウェスト部の第１留め具を左ウェスト部に接合しやすくなり、左ウェスト部の第１留め具を右ウェスト部に接合しやすくなる。また、右ウェスト部と左ウェスト部により着用者の臀部が広く覆われ、おむつカバーの着用感が向上しやすくなる。
【０００８】
右ウェスト部と左ウェスト部は伸縮可能であることが好ましい。右ウェスト部と左ウェスト部が伸縮可能であれば、左右ウェスト部を伸張しながら左右ウェスト部を着用者の腰回りに固定することで、おむつカバーの着用者の腰回りのフィット性を高めやすくなる。
【０００９】
第１留め具は、右ウェスト部の内面と左ウェスト部の内面とに設けられていることが好ましい。このように第１留め具が設けられることにより、左右ウェスト部や第１留め具の取り扱い性が高められる。第１留め具は、右ウェスト部と左ウェスト部に各々複数設けられていてもよい。このように第１留め具が設けられることにより、第１留め具の全ての接合が一度には外れにくくなり、左右ウェスト部が着用者の腰回りに安定して固定されやすくなる。
【００１０】
前方部には、幅方向に延在する右フラップ部と左フラップ部とが設けられ、右フラップ部の内面と左フラップ部の内面に各々第２留め具が設けられていることが好ましい。このような構成により、着用者の脚回りの密着性が高められて、おむつカバーのフィット性が向上する。
【００１１】
第２留め具は所定の幅を有する略直線形状であり、第２留め具は、略直線形状が、おむつカバーの前後方向の前方かつ幅方向の内方に向かうように設けられていることが好ましい。このように第２留め具が設けられることにより、着用者は、左右フラップ部を着用者の左右方向に拡張させながら、左右フラップ部を着用者の上方向に引っ張り上げやすくなり、おむつカバーの着用者の脚回りのフィット性を高めやすくなる。
【００１２】
右フラップ部と左フラップ部と中間部は伸縮可能であることが好ましい。おむつカバーのこれらの部分が伸縮可能であれば、左右フラップ部を着用者の左右方向に拡張させながら着用者の上方向に引っ張って、左右フラップ部を着用者の腹部に固定することで、着用者の脚回りのフィット性を高めやすくなる。
【００１３】
第２留め具は、右フラップ部と左フラップ部に各々複数設けられていてもよい。このように第２留め具が設けられることにより、第２留め具の全ての接合が一度には外れにくくなり、左右フラップ部が着用者の腹部に安定して固定されやすくなる。
【００１４】
本発明はまた、本発明のおむつカバーの中間部に吸収性コアが設けられた使い捨ておむつを提供する。本発明の使い捨ておむつもまた、着用者の腰回りのフィット性を高めやすくできる。
【発明の効果】
【００１５】
本発明のおむつカバーおよび使い捨ておむつは、右ウェスト部と左ウェスト部の両方を引っ張りながら、右ウェスト部と左ウェスト部を着用者の腰回りに固定することができるため、着用者の腰回りのフィット性を高めやすくできる。
【図面の簡単な説明】
【００１６】
【図１】本発明のおむつカバーの一実施態様を表す。
【図２】第１留め具の設置例を表す。
【図３】本発明のおむつカバーの着用方法の例を表す。
【図４】本発明の使い捨ておむつの一実施態様を表す。
【図５】図４の使い捨ておむつのＡ−Ａ断面図を表す。
【発明を実施するための形態】
【００１７】
本発明のおむつカバーについて、図面を参照して説明する。なお、本発明のおむつカバーは、図面に示された実施態様に限定されるものではない。図１は、本発明のおむつカバーの一例を表す。図では、矢印ｘを幅方向、矢印ｙを前後方向と定義付ける。
【００１８】
おむつカバー１は、前後方向ｙと幅方向ｘとを有する。前後方向ｙとは、おむつカバーを着用者が着用した際、着用者の股間の前後方向に延びる方向を意味する。図１において、下側が前方に相当し、上側が後方に相当する。幅方向ｘとは、おむつカバー１と同一面上にあり、前後方向ｙと直交する方向を意味する。幅方向ｘは、おむつカバーを着用者が着用した際、着用者の左右方向に相当する。おむつカバー１は、また、おむつカバーを着用した際の着用者側に位置する内面と、おむつカバーを着用した際の着用者とは反対側に位置する外面とを有する。
【００１９】
おむつカバー１は、前後方向ｙに前方部Ｆと後方部Ｂとこれらの間に位置する中間部Ｍとを有する。前方部Ｆとは、おむつカバー１の前後方向ｙの一方端に形成され、おむつカバー着用時に着用者の腹側に当てる部分を意味する。後方部Ｂとは、おむつカバー１の前後方向ｙの他方端に形成され、おむつカバー着用時に着用者の背側に当てる部分を意味する。中間部Ｍとは、前方部Ｆと後方部Ｂとの間に位置し、着用者の股間に当てる部分を意味する。なお、本発明において、前方部Ｆ、中間部Ｍ、後方部Ｂは、後記する右ウェスト部２、左ウェスト部３、右フラップ部５、左フラップ部６を含まない部分と規定する。
【００２０】
前方部Ｆ、中間部Ｍ、および後方部Ｂは、例えば、それぞれおむつカバー１の前後方向ｙの長さの３０％、３０％、および４０％の領域を占める。図１に示されるおむつカバー１では、前方部Ｆ、中間部Ｍ、および後方部Ｂは、このような割合で分割されている。
【００２１】
おむつカバー１は、後方部Ｂから幅方向ｘに延在する右ウェスト部２と左ウェスト部３とを有する。右ウェスト部２と左ウェスト部３は、おむつカバー１の着用時にそれぞれ着用者の右側と左側の腰回りに当てる部分である。図１では、図面の右側が、おむつカバー１の着用時に着用者の左側に位置し、図面の左側が、おむつカバー１の着用時に着用者の右側に位置する。従って、図１では、おむつカバー１の内面が見えるように、おむつカバー１が示されている。おむつカバー１は一般に中間部Ｍが最も幅方向ｘに狭く形成され、左右ウェスト部２，３は、中間部Ｍの最も幅狭な部分の外縁より幅方向ｘの外方に位置する部分に相当する。右ウェスト部２と左ウェスト部３は、少なくとも後方部Ｂから幅方向ｘに延在していればよく、さらに中間部Ｍから幅方向ｘに延在していてもよい。
【００２２】
右ウェスト部２と左ウェスト部３は、右ウェスト部２と左ウェスト部３の一方の端部が、他方の端部よりも前後方向ｙの前方に位置するように形成される。すなわち、右ウェスト部２の端部が左ウェスト部３の端部よりも前後方向ｙの前方に位置するか、左ウェスト部３の端部が右ウェスト部２の端部よりも前後方向ｙの前方に位置する。その結果、おむつカバー１は、右ウェスト部２と左ウェスト部３が前後方向ｙにずれて固定可能となる。そのため、おむつカバー１は、右ウェスト部２の端部と左ウェスト部３の端部を掴みながら、左右ウェスト部２，３を着用者の左右方向に引っ張ることが容易になり、おむつカバー１を着用する際、おむつカバー１の着用者の腰回りのフィット性を高めやすくなる。なお、図１では、右ウェスト部２の端部が左ウェスト部３の端部よりも前後方向ｙの前方に位置している。
【００２３】
おむつカバー１は、着用時、右ウェスト部２と左ウェスト部３と後方部Ｂとで着用者の腰回りを覆い、右ウェスト部２と左ウェスト部３が着用者の腹側で前後方向ｙにずれて固定される。着用者が起立した状態においては、右ウェスト部２と左ウェスト部が上下方向にずれて固定される。
【００２４】
右ウェスト部２の端部から左ウェスト部３の端部までの長さ（幅方向ｘに対する長さ）は、右ウェスト部２と左ウェスト部３と後方部Ｂを構成する材料によっても異なるが、中間部Ｍの最も幅狭な部分の幅方向ｘの長さの４．０倍以上が好ましく、４．５倍以上がより好ましく、７．０倍以下が好ましく、６．５倍以下がより好ましい。なお、ここで説明した好ましい長さの倍率は、おむつカバーを構成する材料に外部から負荷をかけない状態での長さの倍率である。おむつカバー１は、着用の際、右ウェスト部２と左ウェスト部３が前後方向ｙにずれて固定される部分の長さが、着用者の腰回りの周長の２０％〜６０％程度となるように着用することが好ましい。
【００２５】
右ウェスト部２と左ウェスト部３には、各々第１留め具４が設けられる。以下、右ウェスト部に設けられる第１留め具を表す符号として「４Ｒ」を用い、左ウェスト部に設けられる第１留め具を表す符号として「４Ｌ」を用いる場合がある。おむつカバー１を着用する際は、右ウェスト部２を第１留め具４Ｒにより左ウェスト部３または後方部Ｂに接合し、左ウェスト部３を第１留め具４Ｌにより右ウェスト部２または後方部Ｂに接合する。その結果、左右ウェスト部２，３が着用者の腰回りに固定されることとなる。
【００２６】
右ウェスト部２の第１留め具４Ｒは、左ウェスト部３の外面または後方部Ｂの外面に接合可能に設けられることが好ましく、左ウェスト部３の第１留め具４Ｌは、右ウェスト部２の外面または後方部Ｂの外面に接合可能に設けられることが好ましい。第１留め具は、例えば、左右ウェスト部２，３の内面に設けられたり、左右ウェスト部２，３の幅方向ｘの端部から延出するように設けられてもよい。左右ウェスト部２，３の取り扱い性を高める点からは、第１留め具は、図１に示すように、右ウェスト部２の内面と左ウェスト部３の内面とに設けられることが好ましい。
【００２７】
第１留め具４が右ウェスト部２の内面と左ウェスト部３の内面とに設けられる場合、第１留め具４は、左右ウェスト部２，３の幅方向ｘの端部から１００ｍｍ以内（より好ましくは８０ｍｍ以内であり、さらに好ましくは５０ｍｍ以内）の領域に設けられることが好ましい。このように第１留め具４が設けられれば、おむつカバー１の着用時、右ウェスト部２と左ウェスト部３を前後方向ｙにずらして固定しやすくなる。また、左右ウェスト部２，３の幅方向ｘの端部を掴みながら、第１留め具４を左右ウェスト部２，３または後方部Ｂに接合することができ、おむつカバー１の着用が容易になる。
【００２８】
第１留め具４の接合を容易にするために、右ウェスト部２の幅と左ウェスト部３の幅は、端部に向かって狭くなっていることが好ましい。なお、右ウェスト部２の幅と左ウェスト部３の幅とは、前後方向ｙに対する長さを意味する。つまり換言すれば、右ウェスト部２と左ウェスト部３は、幅方向ｘの外方が内方よりも、前後方向ｙの長さが短いことが好ましい。このように左右ウェスト部２，３が形成されていれば、右ウェスト部２の第１留め具４Ｒを、左ウェスト部３の幅方向ｘの内方に位置する部分に接合しやすくなり、左ウェスト部３の第１留め具４Ｌを、右ウェスト部２の幅方向ｘの内方に位置する部分に接合しやすくなる。また、右ウェスト部２と左ウェスト部３により着用者の臀部が広く覆われ、おむつカバー１の着用感が向上しやすくなる。
【００２９】
左右ウェスト部２，３は、例えば、幅方向ｘの端部に形成された外方部と、外方部と後方部Ｂとの間に形成された内方部とを有し、おむつカバー１の幅方向ｘの中心線に対し、内方部が左右対称に形成され、外方部が左右非対称に形成されてもよい。このように左右ウェスト部２，３が形成されていても、右ウェスト部２の第１留め具４Ｒを左ウェスト部３の内方部に接合しやすくなり、左ウェスト部３の第１留め具４Ｌを右ウェスト部２の内方部に接合しやすくなる。左右ウェスト部の外方部と内方部の幅方向ｘに対する長さの比率は、外方部：内方部＝３：７〜７：３程度が好ましい。
【００３０】
第１留め具としては、フック・ループファスナーのフック部材やループ部材、粘着剤（例えば、粘着テープ、粘着剤層）、フック（例えば、金属製のフックやプラスチック製のフック）等を用いればよい。第１留め具としてフックファスナー（フック・ループファスナーのフック部材）を用いる場合は、左右ウェスト部および／または後方部にフック・ループファスナーのループ部材を設けたり、左右ウェスト部および／または後方部をループ部材として機能する材料（例えば、不織布、織布、編布等）で構成することが好ましい。第１留め具として粘着剤を用いる場合は、左右ウェスト部および／または後方部にプラスチックフィルムを設けたり、左右ウェスト部および／または後方部をプラスチックフィルムで構成することが好ましい。第１留め具としてフックを用いる場合は、左右ウェスト部および／または後方部にループ形状の部材を設けることが好ましい。
【００３１】
第１留め具としては、フックファスナーを用いることが好ましい。フックファスナーとしては、例えば、錨形や鉤形やきのこ型等の形状のフックを多数表面に有する部材を採用すればよい。第１留め具としてフックファスナーを用いる場合、第１留め具は、右ウェスト部の内面と左ウェスト部の内面とに設けられることが好ましい。
【００３２】
第１留め具の形状、すなわち左右ウェスト部２，３の第１留め具が設けられる領域の形状は特に限定されないが、前後方向ｙに長い形状であることが好ましい。第１留め具が前後方向ｙに長い形状であるとは、第１留め具の前後方向ｙの長さが幅方向ｘの長さよりも長いことを意味する。第１留め具は前後方向ｙに平行に設けられる必要はなく、前後方向ｙに対し斜めに設けられていてもよい。第１留め具が前後方向ｙに長い形状であれば、左右ウェスト部２，３が幅広く留められ、左右ウェスト部２，３を着用者の腰回りに安定して固定しやすくなる。第１留め具の形状としては、例えば、直線、長方形、楕円形、角の丸まった長方形、不定形等が挙げられ、所定の幅を有する略直線形状が好ましい。
【００３３】
第１留め具は、右ウェスト部と左ウェスト部に各々複数設けられてもよい。このように第１留め具が設けられることにより、第１留め具の全ての接合が一度には外れにくくなり、左右ウェスト部が着用者の腰回りに安定して固定されやすくなる。
【００３４】
図２（ａ）〜（ｅ）には、図１のおむつカバー１の右ウェスト部２を例に挙げ、第１留め具４が複数設けられる場合の設置例を示した。図２（ａ）では、前後方向ｙに長い形状の第１留め具４が、幅方向ｘに並んで複数設けられている。図２（ｂ）に示すように、第１留め具４は、各々が幅方向ｘに長い形状を有し、これらが前後方向ｙに並んで複数設けられてもよい。図２（ｃ），（ｄ）に示すように、第１留め具４は、右ウェスト部２の端部の縁に沿って複数設けられてもよい。また、図２（ｅ）に示すように、所定形状の第１留め具４が、右ウェスト部２の端部に縦横に並んで設けられてもよい。
【００３５】
第１留め具はまた、図２（ｆ）に示されるように、右ウェスト部の端部または左ウェスト部の端部の縁に沿って弧を描くように設けられてもよい。第１留め具がこのような形状で設けられることにより、左右ウェスト部の端部に設けられた第１留め具が不用意に他の部材に接合したり、着用者の肌に当たったりしにくくなり、左右ウェスト部の取り扱い性が向上する。
【００３６】
右ウェスト部２と左ウェスト部３は伸縮可能であることが好ましい。詳細には、右ウェスト部２と左ウェスト部３は、幅方向ｘに伸縮可能であることが好ましい。右ウェスト部２と左ウェスト部３は少なくとも一部の領域が伸縮可能であればよく、左右ウェスト部２，３の第１留め具４より幅方向ｘの内方が伸縮可能であることが好ましい。右ウェスト部２と左ウェスト部３が伸縮可能であれば、左右ウェスト部２，３を伸張しながら左右ウェスト部２，３を着用者の腰回りに固定することで、おむつカバー１の着用者の腰回りのフィット性を高めやすくなる。また、左右ウェスト部２，３に加え、後方部Ｂも伸縮可能であることが好ましい。
【００３７】
おむつカバー１は、前方部Ｆに、幅方向ｘに延在する右フラップ部５と左フラップ部６とが設けられることが好ましい。右フラップ部５と左フラップ部６は、おむつカバー１の着用時にそれぞれ着用者の腹部の右側と左側に当てる部分である。左右フラップ部５，６は、中間部Ｍの最も幅狭な部分の外縁より幅方向ｘの外方に位置する部分に相当する。左右フラップ部５，６は、少なくとも前方部Ｆから幅方向ｘに延在していればよく、さらに中間部Ｍから幅方向ｘに延在してもよい。
【００３８】
右フラップ部５の端部から左フラップ部６の端部までの長さ（幅方向ｘの長さ）は、右フラップ部５と左フラップ部６と前方部Ｆを構成する材料によっても異なるが、中間部Ｍの最も幅狭な部分の幅方向ｘの長さの１．５倍以上が好ましく、２．０倍以上がより好ましく、３．５倍以下が好ましく、３．０倍以下がより好ましい。なお、ここで説明した好ましい長さの倍率は、おむつカバーを構成する材料に外部から負荷をかけない状態での長さの倍率である。
【００３９】
右フラップ部５の内面と左フラップ部６の内面には、各々第２留め具７が設けられることが好ましい。以下、右フラップ部に設けられる第２留め具を表す符号として「７Ｒ」を用い、左フラップ部に設けられる第２留め具を表す符号として「７Ｌ」を用いる場合がある。おむつカバー１を着用する際は、着用者の腰回りに装着された左右ウェスト部２，３に、左右フラップ部５，６を第２留め具７により接合する。その結果、左右フラップ部５，６が着用者の腹部に固定されることとなる。おむつカバー１は、左右フラップ部５，６が設けられ、さらに左右フラップ部５，６の内面に各々第２留め具７が設けられることにより、着用者の脚回りの密着性が高められて、おむつカバー１のフィット性が向上する。具体的には、右ウェスト部２と中間部Ｍの右側と右フラップ部５のそれぞれの外縁により、着用者の右脚のそけい部周辺のフィット性が高められ、左ウェスト部３と中間部Ｍの左側と左フラップ部６のそれぞれの外縁により、着用者の左脚のそけい部周辺のフィット性が高められる。
【００４０】
第２留め具７は、左右フラップ部５，６の幅方向ｘの端部から１００ｍｍ以内（より好ましくは８０ｍｍ以内であり、さらに好ましくは５０ｍｍ以内）の領域に設けられることが好ましい。このように第２留め具７が設けられれば、左右フラップ部５，６の幅方向ｘの端部を掴みながら、第２留め具７を左右ウェスト部２，３に接合することができ、おむつカバー１の着用が容易になる。第２留め具としては、第１留め具に使用可能な部材を用いることができ、フックファスナーを用いることが好ましい。第２留め具の接合対象となる左右ウェスト部２，３に設けられる部材、または左右ウェスト部２，３を構成する材料は、第１留め具の接合対象に用いられる部材または材料を用いることができる。
【００４１】
第２留め具の形状、すなわち左右フラップ部５，６の第２留め具が設けられる部分の領域の形状は特に限定されないが、前後方向ｙに長い形状であることが好ましい。第２留め具が前後方向ｙに長い形状であるとは、第２留め具の前後方向ｙの長さが幅方向ｘの長さよりも長いことを意味する。第２留め具は前後方向ｙに平行に設けられる必要はなく、前後方向ｙに対し斜めに設けられていてもよい。第２留め具が前後方向ｙに長い形状であれば、左右フラップ部５，６が幅広く留められ、左右フラップ部５，６を着用者の腹部に安定して固定しやすくなる。第２留め具の形状としては、例えば、直線、長方形、楕円形、角の丸まった長方形、不定形等が挙げられ、所定の幅を有する略直線形状が好ましい。
【００４２】
図１に示されるように、第２留め具７は所定の幅を有する略直線形状であり、第２留め具７は、略直線形状が、おむつカバー１の前後方向ｙの前方かつ幅方向ｘの内方に向かうように設けられていることが好ましい。すなわち、第２留め具７は、略直線形状が、前後方向ｙの前方側が幅方向ｘの内方に位置するように設けられることが好ましい。このように第２留め具７が設けられることにより、着用者が左右フラップ部５，６を第２留め具７の略直線形状が延びる方向と垂直方向に引っ張った場合、着用者は、左右フラップ部５，６を着用者の左右方向に拡張させながら、左右フラップ部５，６を着用者の上方向に引っ張り上げやすくなり、おむつカバー１の着用者の脚回りのフィット性を高めやすくなる。
【００４３】
第２留め具は、右フラップ部と左フラップ部に各々複数設けられてもよい。このように第２留め具が設けられることにより、第２留め具の全ての接合が一度には外れにくくなり、左右フラップ部が着用者の腹部に安定して固定されやすくなる。第２留め具を右フラップ部と左フラップ部に各々複数設ける場合の実施態様例は、図２（ａ）〜（ｅ）に示した第１留め具の設置例と同様である。また、第２留め具は、図２（ｆ）に示されるように、右フラップ部の端部または左フラップ部の端部の縁に沿って弧を描くように設けられてもよい。
【００４４】
おむつカバー１の着用者の脚回りのフィット性をより高めるためには、右フラップ部５と左フラップ部６と中間部Ｍが伸縮可能であることが好ましい。おむつカバー１のこれらの部分の外縁は、おむつカバー１の着用時、着用者のそけい部周辺に当てられる。従って、おむつカバー１のこれらの部分が伸縮可能であれば、左右フラップ部５，６を着用者の左右方向に拡張させながら着用者の上方向に引っ張って、左右フラップ部５，６を着用者の腹部に固定することで、着用者のそけい部周辺のフィット性を高めやすくなる。また、左右フラップ部５，６と中間部Ｍに加え、前方部Ｆも伸縮可能であることが好ましい。
【００４５】
おむつカバーを構成する材料は特に限定されない。おむつカバーを構成する材料としては、不織布、織布、編布、プラスチックフィルム、およびこれらの積層体等を使用できる。おむつカバーを構成する材料として不織布、織布、編布等の布材料を用いる場合、布材料を構成する繊維としては、例えば、ポリプロピレン、ポリエチレン、ポリエステル、ポリアミド、ポリウレタン等の合成繊維、パルプ、絹等の天然繊維を用いればよい。おむつカバーを構成する材料としてプラスチックフィルムを用いる場合は、例えば、ポリプロピレン、ポリエチレン、ポリエステル、ポリアミド、ポリウレタン等の合成樹脂を用いればよい。おむつカバーは、液透過性であっても、液不透過性であってもよい。
【００４６】
おむつカバーが伸縮可能な部分（以下、「伸縮部」と称する場合がある）を有する場合、伸縮部は、少なくとも１．１倍（より好ましくは、１．２倍）に伸張しても、ほぼ元の長さに戻ることが好ましい。伸縮部は、前記説明したように、例えば、右ウェスト部、左ウェスト部、右フラップ部、左フラップ部、中間部等に設けられることが好ましい。
【００４７】
伸縮部は、伸縮材料から形成されてもよい。伸縮材料としては、天然ゴム；スチレン−ブタジエン共重合体、ポリイソブチレン等の合成ゴム；ポリウレタン、ポリエーテル・ポリエステル、ポリブチレンテレフタレート、ポリトリメチレンテレフタレート等の合成樹脂等を用いることができる。伸縮材料を含む繊維を用いて、不織布、織布、編布等に形成し、伸縮部に用いてもよい。また、伸縮材料をフィルム状に形成し、伸縮部に用いてもよい。
【００４８】
伸縮部は、非伸縮材料から形成されてもよい。この場合、非伸縮材料から形成された繊維を織布、編布等に形成し、織布の織り方または編布の編み方により、織布や編布に伸縮性を付与してもよい。
【００４９】
伸縮部は、伸縮材料と非伸縮材料とから形成されてもよい。この場合、非伸縮性材料から形成された非伸縮な部分（以下、「非伸縮部分」と称する場合がある）に、弾性部材等の伸縮材料が取り付けられてもよい。伸縮材料は伸張状態で非伸縮部分に取り付けられることが好ましい。また、伸縮材料から形成された繊維と非伸縮材料から形成された繊維とを用いて、あるいは伸縮材料と非伸縮材料とから形成された複合繊維を用いて、不織布、織布、編布等に形成し、伸縮部に用いてもよい。
【００５０】
おむつカバーは、第１留め具と第２留め具を除くおむつカバー全体が伸縮可能であってもよい。この場合、第１留め具と第２留め具を除きおむつカバーは同じ材料から構成されることが、おむつカバーの製造容易性の点から好ましい。
【００５１】
おむつカバーは、通気性を確保して、着用時の蒸れを低減する点から、不織布、織布、編布等から構成されることが好ましい。より好ましくは、第１留め具と第２留め具を除きおむつカバー全体が不織布、織布、編布等から構成される。この場合、前記説明したように、第１留め具と第２留め具（第２留め具は設けられる場合）はフックファスナーを用いることが好ましい。
【００５２】
本発明のおむつカバーの着用方法の一例について、図３を用いて説明する。図３に示すおむつカバー１は、第１留め具４と第２留め具７を除くおむつカバー１全体が伸縮可能であり、第１留め具４と第２留め具７が接合可能な材料から構成されている。
【００５３】
おむつカバー１は、後方部Ｂを着用者の背側に当てながら、右ウェスト部２を着用者の右側の腰回りに当て、左ウェスト部３を着用者の左側の腰回りに当てる。次いで、右ウェスト部２と左ウェスト部３の両方を引っ張りながら、右ウェスト部２の第１留め具４Ｒを左ウェスト部３の外面に接合し、左ウェスト部３の第１留め具４Ｌを右ウェスト部２の外面に接合する。この際、右ウェスト部２と左ウェスト部３は、前後方向ｙにずらして、着用者の腰回りに固定する（図３（ａ），（ｂ）参照）。次いで、前方部Ｆと左右フラップ部５，６を、着用者の股間を通して着用者の腹側に持ってきて、左右フラップ部５，６を着用者の左右方向に拡張させながら着用者の上方向に引っ張って、左右フラップ部５，６を左右ウェスト部２，３に固定することで、おむつカバー１を着用することができる（図３（ｂ），（ｃ）参照）。
【００５４】
本発明はまた、本発明のおむつカバーの中間部に吸収性コアが設けられた使い捨ておむつを提供する。すなわち、本発明の使い捨ておむつは、前後方向に前方部と後方部とこれらの間に位置する中間部と、後方部から幅方向に延在する右ウェスト部と左ウェスト部とを有し；中間部に吸収性コアが備えられ；右ウェスト部と左ウェスト部に各々第１留め具が設けられ；右ウェスト部と左ウェスト部の一方の端部が、他方の端部よりも前後方向の前方に位置することにより、右ウェスト部と左ウェスト部が前記前後方向にずれて固定可能となっている。
【００５５】
使い捨ておむつとしては、例えば、前方部と後方部とこれらの間に位置する中間部と、後方部から幅方向に延在する右ウェスト部と左ウェスト部とを有する外装シートと、液透過性のトップシートと液不透過性のバックシートとこれらの間に吸収性コアが配された吸収性本体を有し、吸収性本体が外装シートの中間部に設けられるものが挙げられる。外装シートは、１枚のシートから構成されてもよく、２枚以上のシートが積層したものでもよい。外装シートとしては、例えば、内側シートと外側シートとの積層体が挙げられ、この場合、内側シートは親水性または撥水性であることが好ましく、外側シートは撥水性であることが好ましい。外装シートは、伸縮可能な部分と非伸縮部分を有してもよい。
【００５６】
使い捨ておむつは、また、液透過性のトップシートと液不透過性のバックシートとこれらの間に吸収性コアが配された積層体を有し、この積層体が、前方部と後方部とこれらの間に位置する中間部と、後方部から幅方向に延在する右ウェスト部と左ウェスト部とを形成し、吸収性コアが中間部に設けられるものでもよい。前記積層体は、伸縮可能な部分と非伸縮部分を有してもよい。あるいは、液透過性のトップシートと液不透過性のバックシートとこれらの間に吸収性コアが配された積層体が、使い捨ておむつの非伸縮部分を形成し、残りの部分が伸縮可能な部分としてトップシートやバックシートとは異なる材料から形成されてもよい。
【００５７】
吸収性コアは、尿等の排泄物を吸収できるものであれば特に限定されない。吸収性コアとしては、例えば、吸収性材料を所定形状に成形した成形体を用いたり、あるいは吸収性材料を紙シート（例えば、ティッシュペーパー）や液透過性不織布シート等の被覆シートで覆ったものを用いることができる。吸収性コアに含まれる吸収性材料としては、例えば、粉砕したパルプ繊維、セルロース繊維等の親水性繊維や、ポリアクリル酸系、セルロース系、デンプン・アクリロニトリル系等の吸水性樹脂等が挙げられる。吸収性材料としては、少なくとも吸水性樹脂を含んでいることが好ましい。また、吸収性材料として、親水性繊維の集合体に吸水性樹脂を混合または散布したものを用いてもよい。吸収性コアの形状は特に限定されない。吸収性コアの形状としては、例えば、長方形、砂時計型、ひょうたん型、羽子板型等が挙げられる。
【００５８】
トップシートやバックシートは、例えば、不織布、織布、編布、プラスチックフィルム、プラスチックフィルムと不織布との積層体等から構成される。前記積層体としては、例えば、不織布とプラスチックフィルムとが一層ずつ重ねられたものや、プラスチックフィルムを不織布で挟んで重ねられたものが示される。
【００５９】
トップシートとしては、例えば、セルロース、レーヨン、コットン等の親水性繊維から形成された不織布や；ポリプロピレン、ポリエチレン、ポリエステル、ポリアミド、ナイロン等の疎水性繊維から形成された不織布であって、当該疎水性繊維の表面が界面活性剤により親水化されたもの等を用いることができる。また、トップシートとして、織布、編布、孔が形成されたプラスチックフィルムを用いてもよい。
【００６０】
バックシートとしては、ポリプロピレン、ポリエチレン、ポリエステル、ポリアミド、ナイロン等の疎水性繊維から形成された不織布や、プラスチックフィルム等を用いることができる。また、不織布とプラスチックフィルムとの積層体を用いてもよい。
【００６１】
外装シートは、１枚のシートから構成される場合は、バックシートに使用可能な材料を用いることが好ましい。外装シートが内側シートと外側シートから構成される場合は、内側シートはトップシートまたはバックシートに使用可能な材料を用いればよく、外側シートはバックシートに使用可能な材料を用いればよい。
【００６２】
前記説明した各シートの材料として不織布を用いる場合、不織布としては、スパンボンド法、エアスルー法、ポイントボンド法、メルトブロー法、エアレイド法やそれらの製法の組み合わせ等により製造されるものが好ましい。また、スパンボンド法とメルトブロー法を組み合わせたＳＭＳ法により製造された不織布を用いてもよい。
【００６３】
使い捨ておむつには、吸収性コアの両側縁に沿って、立ち上がりフラップが設けられていることが好ましい。立ち上がりフラップは、例えば、吸収性コアの上面に、吸収性コアの両側縁に沿って設けられてもよく、吸収性コアの幅方向両外側に設けられてもよい。立ち上がりフラップを設けることにより、尿等の排泄物の横漏れを防ぐことができる。立ち上がりフラップは、トップシートの幅方向両側に設けられたサイドシートの内方端が立ち上げられて、形成されてもよい。前記立ち上がりフラップおよびサイドシートは、撥水性であることが好ましい。
【００６４】
使い捨ておむつの左右ウェスト部、左右フラップ部、第１留め具、第２留め具に関する説明は、おむつカバーの説明と同様である。
【００６５】
本発明の使い捨ておむつの一例について、図４，図５を参照して説明する。図４は本発明の使い捨ておむつの一例を表し、図５は図４のＡ−Ａ断面図を表す。なお、本発明の使い捨ておむつは、図面に示された実施態様に限定されるものではない。なお、下記の説明において、図１に係るおむつカバーの説明と重複する部分は、説明を省略する。また、上記のおむつカバーに係る説明の「おむつカバー」、「おむつカバー１」は、各々「使い捨ておむつ」、「使い捨ておむつ１１」と読み替えるものとする。
【００６６】
使い捨ておむつ１１は、液透過性のトップシート１２と液不透過性のバックシート１３との間に吸収性コア１４が配された積層体を有する。トップシート１２は、幅方向ｘの長さが中間部Ｍの幅方向ｘの長さより短く、前後方向ｙの長さが使い捨ておむつ１１の前後方向ｙの長さとほぼ同じ長さの長方形状を有する。バックシート１３は、前後方向ｙに前方部Ｆと後方部Ｂとこれらの間に位置する中間部Ｍと、後方部Ｂから幅方向ｘに延在する左右ウェスト部２，３と、前方部Ｆから幅方向ｘに延在する左右フラップ部５，６を形成している。トップシート１２の幅方向ｘの両端にはサイドシート１５が接合され、サイドシート１５は左右ウェスト部２，３と左右フラップ部５，６を形成している。
【００６７】
トップシート１２は、着用者の肌に面するように配置され、尿等の排泄物を透過する。トップシート１２を透過した排泄物は、吸収性コア１４により収容される。バックシート１３は、排泄物が外部へ漏れるのを防ぎ、衣服等が汚れるのを防ぐ。
【００６８】
サイドシート１５には、幅方向ｘの内方端に起立用弾性部材１６が配されている。使い捨ておむつ１１の着用時には、起立用弾性部材１６の収縮力により、サイドシート１５の内方部分がトップシート１２の上方、すなわち着用者の肌に向かって立ち上がる。これにより、立ち上がりフラップが形成され、尿等の排泄物の幅方向ｘの外方への漏れが防止される。
【００６９】
左右ウェスト部２，３には、幅方向ｘに延在するウェスト用弾性部材１７が配されている。左右ウェスト部２，３のウェスト用弾性部材１７が配された部分は伸縮部として機能する。
【００７０】
中間部Ｍには、前後方向ｙに延在する脚用弾性部材１８が配されている。脚用弾性部材１８は、中間部Ｍにおいて、使い捨ておむつ１１の縁に沿って設けられている。左右フラップ部５，６には、略幅方向ｘに延在するフラップ用弾性部材１９が配されている。脚用弾性部材１８とフラップ用弾性部材１９とにより、着用者の脚回りのフィット性を高めやすくなる。
【００７１】
ウェスト用弾性部材１７、脚用弾性部材１８、フラップ用弾性部材１９はそれぞれ、サイドシート１５とバックシート１３との間に配され、伸張状態でサイドシート１５とバックシート１３とに固定されている。弾性部材としては、ポリウレタン糸、ポリウレタンフィルム、天然ゴム等の通常使い捨ておむつ等に用いられる弾性伸縮材料が用いることができる。各弾性部材は、伸張状態で、ホットメルト接着剤で固定されることが好ましい。例えば、繊度１００〜２，５００ｄｔｅｘのポリウレタン糸を、倍率１．１〜５．０倍に伸張して配設し、固定する。接合手段としては、好ましくは、ゴム系のホットメルト接着剤である。
【符号の説明】
【００７２】
１：  おむつカバー
２：  右ウェスト部
３：  左ウェスト部
４：  第１留め具
５：  右フラップ部
６：  左フラップ部
７：  第２留め具
１１：  使い捨ておむつ
【図１】
0005559558.tif 000002
【図２】
0005559558.tif 000003
【図３】
0005559558.tif 000004
【図４】
0005559558.tif 000005
【図５】
0005559558.tif 000006